(57)【要約】【課題】  他方の端末との間で画像情報や音声情報を授受する双方向通信端末において、他方の端末側の動作を双方向通信端末の側から制御する。【解決手段】  双方向通信端末は、相手端末の動作を制御する制御情報を作成する制御情報作成部６０と、前記制御情報を含む信号を前記相手端末との間で送信および受信を行う通信部４０と、前記受信した制御情報を実行することにより、前記双方向通信端末の動作を制御する制御情報実行部２４とを備える。【選択図】      図２
2007027925.tif 000002
【特許請求の範囲】
【請求項１】
一方の端末と、他方の端末とが通信回線により接続され、画像情報や音声情報を前記通信回線で授受する端末通信システムであって、
一方の端末は、
他方の端末の動作を制御する制御情報を作成する制御情報作成部と、
前記制御情報を含む信号を前記他方の端末に対して送信する送信部とを備え、
他方の端末は、
前記制御情報を含む信号を一方の端末から受信する受信部と、
前記受信した制御情報を実行することにより、前記他方の端末の動作を制御する制御情報実行部とを備えることを特徴とする端末通信システム。
【請求項２】
情報を相手端末との間で送受信する双方向通信端末であって、
前記相手端末の動作を制御する制御情報を作成する制御情報作成部と、
前記制御情報を含む信号を前記相手端末との間で送信および受信を行う通信部と、
前記受信した制御情報を実行することにより、前記双方向通信端末の動作を制御する制御情報実行部とを備えることを特徴とする双方向通信端末。
【請求項３】
請求項２に記載の双方向通信端末において、
前記相手端末から送信される前記制御情報を待ち受け可能な状態に切替える動作モード切替部を更に備えることを特徴とする双方向通信端末。
【請求項４】
請求項２乃至３に記載の双方向通信端末において、
前記受信した制御情報を出力する出力部を更に備えることを特徴とする双方向通信端末。
【請求項５】
請求項４に記載の双方向通信端末において、
前記出力された制御情報の中から、前記制御情報実行部で実行する前記制御情報を選択する制御情報選択部を更に備えることを特徴とする双方向通信端末。
【請求項６】
請求項４乃至５に記載の双方向通信端末において、
前記出力部は、前記制御情報を媒体に印刷する印刷部を備えることを特徴とする双方向通信端末。
【請求項７】
請求項６に記載の双方向通信端末において、
前記通信部で受信した前記信号は、コンテンツ情報を更に含み、
前記印刷部は、前記制御情報と前記コンテンツ情報とを前記媒体に印刷することを特徴とする双方向通信端末。
【請求項８】
請求項６乃至７に記載の双方向通信端末において、
前記制御信号を符号化する制御情報変換部を更に備え、
前記印刷部は、前記符号化された制御情報を印刷することを特徴とする双方向通信端末。
【請求項９】
請求項８に記載の双方向通信端末において、
前記符号化は、バーコードによる符号化であることを特徴とする双方向通信端末。
【請求項１０】
請求項８乃至９に記載の双方向通信端末において、
前記符号化された制御情報が印刷された前記媒体から、前記制御情報を取得する制御情報取得部を更に備え、
前記制御情報変換部は、更に、前記符号化された制御情報を復号化することを特徴とする双方向通信端末。
【請求項１１】
請求項２乃至１０のいずれか１項に記載の双方向通信端末を備えたことを特徴とする、少なくとも画像情報と音声情報とを送受信するテレビ電話。
【請求項１２】
通信回線により接続された相手端末の動作を制御する端末制御方法であって、
前記相手端末の動作を制御する制御情報を作成する工程と、
前記制御情報を含む信号を前記相手端末との間で送信および受信を行う工程と、
前記受信した制御情報を実行することにより、前記双方向通信端末の動作を制御する工程とを備えることを特徴とする端末制御方法。
【請求項１３】
通信回線により接続された相手端末の動作を制御する端末制御プログラムであって、
前記相手端末の動作を制御する制御情報を作成する機能と、
前記制御情報を含む信号を前記相手端末との間で送信および受信を行う機能と、
前記受信した制御情報を実行することにより、前記双方向通信端末の動作を制御する機能とをコンピュータに実現させることを特徴とする端末制御プログラム。
【発明の詳細な説明】
【技術分野】
【０００１】
本発明は、端末通信システム、双方向通信端末、テレビ電話、端末制御方法および端末制御プログラムに関する。
【背景技術】
【０００２】
従来、音声によるコミュニケーションに加えて、画像によるコミュニケーションも可能な双方向の通信手段として、テレビ電話が使用されている。このようなテレビ電話によるコミュニケーション時において、画像を共有する方法としては、下記特許文献１に記載のように、相互に画像を交換して、互いに合成画像を生成することで画像の共有を図り、加えて、それぞれのテレビ電話にプリンタを接続して、テレビ電話を各自で操作することにより、それぞれのテレビ電話側で必要な画像を印刷していた。
【０００３】
【特許文献１】特開２００２−１７１４９７号公報
【発明の開示】
【発明が解決しようとする課題】
【０００４】
しかしながら、従来の方法では、印刷を直接に制御できる対象は、自身のテレビ電話に接続されたプリンタに限定され、相手側のテレビ電話に接続されたプリンタに対しては、印刷の指示を含め直接に制御することはできなかった。従って、必要な画像の印刷は、相手側のテレビ電話の使用者に対して、音声等により指示していた。ところが、相手側のテレビ電話の使用者が、不注意により画像を印刷するタイミングを逃したり、印刷する操作方法を知らないために、必要な画像を印刷できない場合があった。
【課題を解決するための手段】
【０００５】
上記した課題を解決するために、本発明の端末通信システムは、一方の端末と、他方の端末とが通信回線により接続され、画像情報や音声情報を前記通信回線で授受する端末通信システムであって、一方の端末は、他方の端末の動作を制御する制御情報を作成する制御情報作成部と、前記制御情報を含む信号を前記他方の端末に対して送信する送信部とを備え、他方の端末は、前記制御情報を含む信号を一方の端末から受信する受信部と、前記受信した制御情報を実行することにより、前記他方の端末の動作を制御する制御情報実行部とを備えることを特徴とする。
この発明によれば、一方の端末で作成した制御情報は、他方の端末に送られると共に、この制御情報を受けた他方の端末は、この制御情報に従い動作が実行される。従って、一方の端末は、制御情報を作成して他方の端末に送ることで、他方の端末の動作を直接に制御できる。
【０００６】
上記した課題を解決するために、本発明の双方向通信端末は、情報を相手端末との間で送受信する双方向通信端末であって、前記相手端末の動作を制御する制御情報を作成する制御情報作成部と、前記制御情報を含む信号を前記相手端末との間で送信および受信を行う通信部と、前記受信した制御情報を実行することにより、前記双方向通信端末の動作を制御する制御情報実行部とを備えることを特徴とする。
この発明によれば、双方向通信端末は、相手端末の動作を制御する制御情報を作成して、相手端末に送信すると共に、相手端末から送信された制御情報を受信し、受信した制御情報に従い、自身の動作を制御する。従って、情報により、相手端末とコミュニケーションを図ると共に、お互いに相手側の動作を直接に制御できる。
【０００７】
本発明は、前記相手端末から送信される前記制御情報を待ち受け可能な状態に切替える動作モード切替部を更に備えることが好ましい。
この発明によれば、相手端末からの制御情報を待ち受け可能な状態に切替えることにより、相手端末から送信された制御情報を遅延無く受信できる。
【０００８】
本発明は、前記受信した制御情報を出力する出力部を更に備えることが好ましい。
この発明によれば、受信した制御情報を出力できる。
【０００９】
本発明は、前記出力された制御情報の中から、前記制御情報実行部で実行する前記制御情報を選択する制御情報選択部を更に備えることが好ましい。
この発明によれば、出力部で出力された制御情報の中から、実行すべき制御情報を選択できる。
【００１０】
本発明では、前記出力部は、前記制御情報を媒体に印刷する印刷部を備えることが好ましい。
この発明によれば、制御情報を媒体に印刷して保存できる。
【００１１】
本発明では、前記通信部で受信した前記信号は、コンテンツ情報を更に含み、前記印刷部は、前記制御情報と前記コンテンツ情報とを前記媒体に印刷することが好ましい。
この発明によれば、制御情報と共にコンテンツ情報も媒体に印刷できる。
【００１２】
本発明では、前記制御信号を符号化する制御情報変換部を更に備え、前記印刷部は、前記符号化された制御情報を印刷することが好ましい。また、本発明では、前記符号化は、バーコードによる符号化であっても良い。
この発明によれば、バーコードによる符号化された制御情報を媒体に印刷できる。
【００１３】
本発明では、前記符号化された制御情報が印刷された前記媒体から、前記制御情報を取得する制御情報取得部を更に備え、前記制御情報変換部は、更に、前記符号化された制御情報を復号化することが好ましい。
この発明によれば、印刷された媒体から符号化された制御情報を取得して復号化できる。
【００１４】
そして、前述の双方向通信端末を、少なくとも画像情報と音声情報とを送受信するテレビ電話に適用することにより、操作が容易なテレビ電話を提供できる。
【００１５】
通信回線により接続された相手端末の動作を制御する端末制御方法であって、前記相手端末の動作を制御する制御情報を作成する工程と、前記制御情報を含む信号を前記相手端末との間で送信および受信を行う工程と、前記受信した制御情報を実行することにより、前記双方向通信端末の動作を制御する工程とを備えることを特徴とする。
この発明によれば、相手端末の動作を制御する制御情報を作成して、相手端末に送信すると共に、相手端末から送信された制御情報を受信し、受信した制御情報に従い、自身の動作を制御する。従って、情報により相手端末とコミュニケーションを図ると共に、お互いに相手側の動作を直接に制御できる。
【００１６】
更に、この発明はコンピュータプログラムとして捉えることができる。即ち、通信回線により接続された相手端末の動作を制御する端末制御プログラムであって、前記相手端末の動作を制御する制御情報を作成する機能と、前記制御情報を含む信号を前記相手端末との間で送信および受信を行う機能と、前記受信した制御情報を実行することにより、前記双方向通信端末の動作を制御する機能とをコンピュータに実現させることを要旨とする。
【発明を実施するための最良の形態】
【００１７】
以下、本発明の実施形態について、双方向通信端末を適用したテレビ電話１を用いて説明する。
（実施形態）
【００１８】
図１は、テレビ電話１のハードウェア構成を示す図である。このテレビ電話１は、ＣＰＵ（Central Processing Unit）１００と、ＲＯＭ（Read Only Memory）１０５と、ＲＡＭ（Random Access Memory）１１０と、記憶装置１１５と、画像処理回路１２０と、ネットワークインターフェイス１３５と、入出力インターフェイス１３０とを備える。また、これらのハードウェアは、バス１２５により各信号が授受可能に接続されている。尚、これらのハードウェアは、パーソナルコンピュータ（図示は略す。）のように筐体内に実装されると共に、基本ソフトウェアである所定のオペレーティングシステム（ＯＳ）により管理され、このオペレーティングシステムの管理下で、ＲＯＭ１０５や記憶装置１１５に記憶されたドライバを含む種々のソフトウェアにより、所定の機能が実行される。
【００１９】
ＣＰＵ１００は、基本ソフトウェア、後述する周辺機器のデバイスドライバなどの各種プログラム、および各種のデータをＲＯＭ１０５や、ハードディスク等の記憶装置１１５から読み込み、これらをＲＡＭ１１０内に設けられるメインメモリ領域に展開して実行する。また、画像処理回路１２０は、ＣＰＵ１００の指示に従い、記憶装置１１５に記憶された画像データに対して種々の処理を施す。
【００２０】
ネットワークインターフェイス１３５は、インターネット１４０のような所定のネットワークに接続して通信を行うためのインターフェイスである。尚、この実施形態では、ネットワークのＩＰ網に接続してＩＰプロトコルに従い通信を行う方法を採用しているが、この方法に限定されるものではなく、例えば、公衆電話網に接続して通信を行う方法も採用できる。更に、これらの接続は、有線方式および無線方式の何れの方式でも良い。
【００２１】
入出力インターフェイス１３０には、表示装置１４５と、印刷装置１５０と、スキャナ１５５と、キーボード１６０と、マウス１６５と、リモコン１７０と、撮像カメラ１７５と、メモリドライブ１８０と、バーコードリーダ１８５と、マイクロホン１９０と、スピーカ１９５と、その他の図示を略した周辺機器とが、ＵＳＢ（Universal Serial Bus）等の所定の規格に従い接続されている。
【００２２】
表示装置１４５は、例えば、液晶ディスプレイのような表示面を有し、入力された画像信号に従い画像を表示する。また、印刷装置１５０は、例えば、インクジェットプリンタのような印字手段を有し、入力された印刷データ信号に従い情報を媒体上に印刷する。また、スキャナ１５５は、例えば、イメージを一次元でとらえる固体撮像デバイスから成るラインセンサを内部に有し、このラインセンサを一方向に走査させることにより、取り込んだ画像の画像信号を出力する。また、キーボード１６０、マウス１６５およびリモコン１７０は、ユーザインターフェイス手段であり、このテレビ電話１の使用者により操作または情報入力された場合に、指示信号を出力する。また、撮像カメラ１７５は、ＣＣＤ（Charge Coupled Device）カメラやＣＭＯＳカメラ（Complementary Metal-Oxide Semiconductor）のようなエリアセンサを内部に有し、テレビ電話１を使用する使用者やテレビ電話１の周囲の環境を示す画像信号を出力する。また、メモリドライブ１８０は、記憶媒体であるメモリカードの情報を入出力する。また、バーコードリーダ１８５は、バーコードを読み込んで、このバーコードが示す情報を電気信号に変換して出力する。また、マイクロホン１９０は、テレビ電話１の周囲の音声を電気信号として出力する。また、スピーカ１９５は、入力された電気信号を音声として出力する。
【００２３】
図２は、テレビ電話１の機能を示す機能ブロック図である。このテレビ電話１は、入力部１０と、制御部２０と、出力部３０と、通信部４０と、記憶部５０と、加工編集部５５と、制御情報作成部６０と、制御情報選択部６５と、画像再現部７０とを備える。
【００２４】
入力部１０は、画像入力部１２と、撮像部１４と、制御情報取得部１６と、音声入力部１８とを有する。
【００２５】
画像入力部１２は、電子データに変換された画像を入力する。具体的には、写真等のコンテンツ情報をスキャナ１５５により取り込み、画像処理回路１２０によりＧＩＦ（Graphic Interchange Format）やＪＰＥＧ（Joint Photographic Experts Group）等の画像のファイル形式に変換して入力する。また、所定のファイル形式でメモリカードに予め記憶された画像データを、メモリドライブ１８０から読み込んで入力しても良い。
【００２６】
撮像部１４は、撮影した画像のデータを電子データに変換して入力する。具体的には、撮像カメラ１７５で撮影した動画像のデータを、画像処理回路１２０によりＭＰＥＧ（Moving Picture Experts Group）等の動画像のファイル形式に変換して入力する。また、動画像に限定されず、撮像カメラ１７５で撮影したスナップショット画像を、所定のファイル形式に変換して入力しても良い。
【００２７】
ここで、画像入力部１２および撮像部１４に入力された電子データが示す画像は、加工編集部５５により、必要に応じて加工や編集が施される。この加工編集部５５は、具体的には、描画ツールやエディタ等で構成されるソフトウェアツールである。図３（ａ）は、他方のテレビ電話１に送信されるメッセージカード８０の一例であり、画像入力部１２から入力したイラスト部８２と、キーボード１６０から入力されたテキストベースのメッセージ部８４とを、この加工編集部５５の使用者の好みに応じて配置することにより、このようなコンテンツ情報を含むメッセージカード８０が作成される。また、このメッセージカード８０の下部には、制御情報を示すバーコード部８６が画像データとして付加される。このバーコード部８６の作成については、後述する。尚、本実施形態では、加工編集部５５で作成されたメッセージカード８０のコンテンツ情報は、描画イメージとして形成されず、フレームデータ、フレーム上に描画される位置データ、イラストやバーコードの画像データおよびテキストデータがそれぞれ独立したファイル形式で形成される。
【００２８】
制御情報取得部１６は、他方のテレビ電話１から送信された制御情報を取得して入力する。具体的には、この制御情報は、メッセージカード８０の下部にバーコード符号化されて印刷されるため、メッセージカード８０のバーコード部８６は、バーコードリーダ１８５により読み込まれ、電気信号に変換される。
【００２９】
音声入力部１８は、電気信号に変換された音声を入力する。具体的には、マイクロホン１９０により変換されて出力される電気信号を入力する。
【００３０】
制御情報作成部６０は、他方のテレビ電話１に送信される制御情報をコマンド形式で作成する。具体的には、制御情報作成部６０は、対話型のソフトウェアツールであり、このソフトウェアツールを用いて、他方のテレビ電話１に実行させる制御情報を、例えばマークアップ言語のような所定のフォーマットで作成する。図３（ｂ）は、この制御情報作成部６０で作成された制御情報の一例である。この例では、制御情報作成部６０の使用者は、「何に対して（他方のテレビ電話１に対して）」、「何をさせる（０１２−３４５−６７８９の番号で呼び出す）」を指示することで、必要な制御情報を容易に作成できる。尚、作成される制御情報のコマンドは、受信されてバーコード符号化された後に出力されるバーコード変換型のコマンドと、受信されると即時に実行され、バーコード符号化されない即時実行型のコマンドとに分類できる。
【００３１】
尚、上記した各機能部が作成した種々のデータは、記憶装置１１５やＲＡＭ１１０等から成る記憶部５０に記憶され、後述する各機能部が必要に応じて読み込めるように配置されている。
【００３２】
制御部２０は、制御情報変換部２２と、制御情報実行部２４と、動作モード切替部２６とを有し、テレビ電話１の各機能部を制御する。
【００３３】
制御情報変換部２２は、制御情報作成部６０で作成されたバーコード変換型のコマンドを、バーコード形式の制御情報に変換して、バーコード画像を生成すると共に、制御情報取得部１６で入力されたバーコード形式の制御情報を、コマンド形式に変換する。尚、本実施形態で採用するバーコードは、ＣＯＤＥ３９やＮＷ−７等のような種類に限定されない。
【００３４】
制御情報実行部２４は、コマンド形式で記述された制御情報に従い、各機能部を制御する。具体的には、制御情報実行部２４は、実行するコマンドに関連する機能部を動作可能な状態に遷移させると共に、この機能部の機能を実行するのに必要なデータを記憶部５０から取得して、機能を実行させる。
【００３５】
動作モード切替部２６は、自身のテレビ電話１が有する全ての機能が動作可能な状態である「通常モード」と、他方のテレビ電話１から送信される制御情報を待ち受けるべく、所定機能のみが動作可能な状態である「待機モード」とを切替える。具体的には、このテレビ電話１に電源が投入されると、動作モード切替部２６は、先ず「待機モード」で起動する。「待機モード」では、少なくとも、制御部２０と、記憶部５０と、受信部４４とが稼動状態であるため、他方のテレビ電話１から送信される制御情報に対応できる。また、テレビ電話１の使用者が、リモコン１７０やキーボード１６０等から操作を行った場合や、他方のテレビ電話１との交信を開始した場合は、動作モード切替部２６は、テレビ電話１を「通常モード」に切替える。その後、所定の時間を超えて何らかの操作がテレビ電話１に対して行われない場合、動作モード切替部２６は、テレビ電話１を「待機モード」に切替える。
【００３６】
通信部４０は、外部からの電子データを受信する受信部４４と、外部に対して電子データを送信する送信部４２とを有する。この電子データには、画像情報、音声情報および制御情報が含まれる。また、この受信部４４で受信した画像情報や制御情報は、必要に応じて記憶部５０に記憶される。
【００３７】
画像再現部７０は、他方のテレビ電話１から送信された画像情報から、後述する表示部３２や印刷部３４で出力する画像イメージを生成する。具体的には、他方のテレビ電話１の加工編集部５５で作成された画像と略同一な画像イメージを生成する。例えば、他方のテレビ電話１で作成されて送信されたメッセージカード８０のデータを受信した場合、受信したフレームデータ、フレーム上に描画される位置データ、バーコードやイラストの画像データのファイル、およびテキストデータのファイルから、他方のテレビ電話１と略同一のメッセージカード８０の画像イメージを生成する。ここで生成された画像イメージは、必要に応じて表示部３２および印刷部３４に送られる。
【００３８】
出力部３０は、表示部３２と、印刷部３４と、音声出力部３６とを有し、種々の情報を出力する。表示部３２は、画像再現部７０から送られる画像イメージを、表示装置１４５に表示させる。また、印刷部３４は、画像再現部７０から送られる画像イメージを、印刷装置１５０に印刷させる。更に、音声出力部３６は、電気信号を変換して音声を出力する。具体的には、入力した電気信号を音声信号に変換して、スピーカ１９５から出力する。
【００３９】
制御情報選択部６５は、他方のテレビ電話１から送信され、記憶部５０に記憶された制御情報の中から、実行対象とする制御情報を使用者が選択する。この場合、制御情報は、メッセージカード８０のような画像イメージと共に表示部３２で表示されるため、使用者は、表示装置１４５を見ながら、リモコン１７０を操作することで選択できる。
【００４０】
以上、テレビ電話１の各機能部を説明したが、これらの機能は、前記したハードウェア資源と、ソフトウェアとが有機的に協働することで実現される。
【００４１】
図４は、本実施形態の２台のテレビ電話（１Ａ，１Ｂ）から成る双方向通信システムの処理を示すタイミング図である。この処理では、最初に、双方のテレビ電話（１Ａ，１Ｂ）の電源が投入される（ステップＳ２００Ａ，Ｓ２００Ｂ）。
【００４２】
続いて、双方のテレビ電話（１Ａ，１Ｂ）は、相手からの制御情報を待ち受ける「待機モード」で起動する（ステップＳ２０５Ａ，Ｓ２０５Ｂ）。
【００４３】
ここで、一方のテレビ電話１Ａの使用者が所定の操作を行うことにより、一方のテレビ電話１Ａは、動作モード切替部２６により「通常モード」に遷移する（ステップＳ２１０）。
【００４４】
次に、一方のテレビ電話１Ａの使用者の操作により、制御情報作成部６０で制御情報が作成される（ステップＳ２１５）。具体的には、バーコード変換型のコマンドと、即時実行型のコマンドとが作成される。より詳細には、バーコード変換型のコマンドは、図３（ｂ）のように、一方のテレビ電話１Ａを呼び出すコマンドであり、加工編集部５５で作成されたメッセージカード８０のバーコード部８６に付加される。また、即時実行型のコマンドは、受信した側、即ちテレビ電話１Ｂの印刷部３４に、メッセージカード８０の画像を印刷させるコマンドである。
【００４５】
次に、作成された制御情報やメッセージカード８０の情報は、送信部４２から他方のテレビ電話１Ｂに送信される（ステップＳ２２０）。一方のテレビ電話１Ａは、送信後、一定の時間を置いて「待機モード」に遷移する（ステップＳ２３０）。
【００４６】
また、一方のテレビ電話１Ａが送信した情報は、他方のテレビ電話１Ｂの受信部４４で受信される（ステップＳ２２５）。
【００４７】
続いて、受信された制御情報やメッセージカード８０の情報は、他方のテレビ電話１Ｂの出力部３０で出力される（ステップＳ２２８）。具体的には、受信された即時実行型のコマンドは、制御情報実行部２４で即時に実行され、メッセージカード８０の画像は、印刷装置１５０で印刷される。
【００４８】
ここで、他方のテレビ電話１Ｂの使用者は、印刷装置１５０で印刷されたメッセージカード８０を視認する。これを受けて、他方のテレビ電話１Ｂの使用者は、他方のテレビ電話１Ｂに対して所定の操作を行うことにより、他方のテレビ電話１Ｂは、動作モード切替部２６により「通常モード」に遷移される（ステップＳ２３５）。
【００４９】
次に、他方のテレビ電話１Ｂの使用者の操作により、制御情報が選択される（ステップＳ２４０）。ここで、印刷されたメッセージカード８０の制御情報を選択する場合は、このメッセージカード８０のバーコード部８６をバーコードリーダ１８５に読み込ませることにより、制御情報取得部１６から制御情報が入力される。他方で、既に記憶部５０に記憶されている制御情報から選択する場合は、制御情報選択部６５から対象とする制御情報が選択される。尚、本実施形態においては、メッセージカード８０上の制御情報を選択する場合を想定する。
【００５０】
次に、他方のテレビ電話１Ｂの制御情報実行部２４は、選択された制御情報に従い、制御を実行する（ステップＳ２４５）。本実施形態においては、図３（ｂ）のコマンドが実行される。
【００５１】
図３（ｂ）のコマンドに従い、他方のテレビ電話１Ｂは、一方のテレビ電話１Ａを呼び出した後、即時実行型のコマンドから成り、呼出しを示す制御情報を送信する（ステップＳ２５０）。
【００５２】
他方のテレビ電話１Ｂから送信された制御情報は、一方のテレビ電話１Ａの受信部４４で受信される（ステップＳ２５５）。
【００５３】
続いて、受信された制御情報に従い、制御情報実行部２４は、一方のテレビ電話１Ａの表示装置１４５に、呼出されている旨のメッセージを即時に表示させる（ステップＳ２５８）。
【００５４】
ここで、一方のテレビ電話１Ａの使用者が、表示装置１４５上のメッセージを視認して、所定の操作を行った場合、一方のテレビ電話１Ａは、動作モード切替部２６により「通常モード」に遷移する（ステップＳ２６０）。尚、一方のテレビ電話１Ａの使用者により所定の操作が実行されなかった場合は、他方のテレビ電話１Ｂの使用者は、この呼出しをキャンセルできる。
【００５５】
続いて、一方のテレビ電話１Ａの使用者と、他方のテレビ電話１Ｂの使用者は、交信を行う（ステップＳ２６５Ａ，Ｓ２６５Ｂ）。この交信の詳細については、後述する。
【００５６】
次に、一方のテレビ電話１Ａの使用者の操作により、即時実行型のコマンドから成り、制御情報作成部６０で交信を終了する旨の制御情報が作成される（ステップＳ２７０）。
【００５７】
次に、作成された制御情報は、送信部４２から他方のテレビ電話１Ｂに送信される（ステップＳ２７５）。その後、一方のテレビ電話１Ａは、一定の時間を置いて「待機モード」に遷移する（ステップＳ２８５Ａ）。
【００５８】
また、一方のテレビ電話１Ａから送信された制御情報は、他方のテレビ電話１Ｂの受信部４４で受信される（ステップＳ２８０）。この制御情報に従い、他方のテレビ電話１Ｂは、「待機モード」に遷移する（ステップＳ２８５Ｂ）。
【００５９】
以降、一方のテレビ電話１Ａと他方のテレビ電話１Ｂは、電源が遮断されるまで「待機モード」が継続する。
【００６０】
図５は、本実施形態の２台のテレビ電話（１Ａ，１Ｂ）から成る双方向通信システムの交信処理を示すタイミング図である。具体的には、テレビ電話（１Ａ，１Ｂ）の使用者同士が、画像および音声で交信している状態において、動画ファイルを略同時に観賞する工程（ステップＳ３０５〜Ｓ３４５）と、交信中に画像ファイルを相手側で印刷する工程（ステップＳ３５０〜Ｓ３９５）について説明する。
【００６１】
最初に、動画ファイルを略同時に観賞する工程（ステップＳ３０５〜Ｓ３４５）について説明する。先ず、一方のテレビ電話１Ａの使用者は、再生可能な動画ファイルを選択する（ステップＳ３０５）。
【００６２】
次に、一方のテレビ電話１Ａの使用者の操作により、制御情報が制御情報作成部６０で作成される（ステップＳ３１０）。具体的には、制御情報は、他方のテレビ電話１Ｂが一方のテレビ電話１Ａから送信される動画ファイルを受信した後、受信した動画ファイルを一方のテレビ電話１Ａと同期して同時に再生する旨のコマンドを有する。
【００６３】
次に、作成された制御情報は、送信部４２から他方のテレビ電話１Ｂに送信される（ステップＳ３１５）。
【００６４】
続いて、一方のテレビ電話１Ａから送信された制御情報は、他方のテレビ電話１Ｂの受信部４４で受信される（ステップＳ３２０）。
【００６５】
次に、他方のテレビ電話１Ｂの制御情報実行部２４は、受信した制御情報に従い、制御を実行する（ステップＳ３２５）。
【００６６】
続いて、同時再生する動画ファイルは、一方のテレビ電話１Ａの送信部４２から他方のテレビ電話１Ｂに送信される（ステップＳ３３０）。
【００６７】
次に、一方のテレビ電話１Ａから送信された動画ファイルは、他方のテレビ電話１Ｂの受信部４４で受信される（ステップＳ３３５）。
【００６８】
続いて、一方のテレビ電話１Ａと他方のテレビ電話１Ｂとが連携して、動画ファイルの同時再生を開始する（ステップＳ３４０Ａ，Ｓ３４０Ｂ）。尚、動画ファイル再生中においても、画像および音声による交信は可能である。
【００６９】
そして、動画ファイルの再生は、同時に終了する（ステップＳ３４５Ａ，Ｓ３４５Ｂ）。以降は、通常の交信状態になる。
【００７０】
続いて、交信中に画像ファイルを相手側で印刷する工程（ステップＳ３５０〜Ｓ３９５）について説明する。先ず、一方のテレビ電話１Ａの使用者は、印刷可能な画像ファイルを選択する（ステップＳ３５０）。
【００７１】
次に、一方のテレビ電話１Ａの使用者の操作により、即時実行型のコマンドから成り、選択した画像ファイルを、他方のテレビ電話１Ｂ側で印刷する旨の制御情報が制御情報作成部６０で作成される（ステップＳ３５５）。
【００７２】
次に、作成された制御情報は、送信部４２から他方のテレビ電話１Ｂに送信される（ステップＳ３６０）。
【００７３】
続いて、一方のテレビ電話１Ａから送信された制御情報は、他方のテレビ電話１Ｂの受信部４４で受信される（ステップＳ３６５）。
【００７４】
次に、他方のテレビ電話１Ｂの制御情報実行部２４は、受信した制御情報に従い、制御を実行する（ステップＳ３７０）。この場合、一方のテレビ電話１Ａから送られる画像ファイルを即座に印刷する。
【００７５】
続いて、画像ファイルは、一方のテレビ電話１Ａの送信部４２から他方のテレビ電話１Ｂに送信される（ステップＳ３７５）。
【００７６】
次に、一方のテレビ電話１Ａから送信された画像ファイルは、他方のテレビ電話１Ｂの受信部４４で受信される（ステップＳ３８０）。
【００７７】
続いて、他方のテレビ電話１Ｂは、受信した画像ファイルを印刷装置１５０から印刷する（ステップＳ３８５）。尚、画像ファイル印刷中においても、画像および音声による交信は可能である。
【００７８】
他方のテレビ電話１Ｂ側で画像ファイルの印刷が終了すると、他方のテレビ電話１Ｂは、即時実行型のコマンドから成り、印刷が終了した旨を示す制御情報を、一方のテレビ電話１Ａに送信する（ステップＳ３９０）。
【００７９】
他方のテレビ電話１Ｂから送信された制御情報は、一方のテレビ電話１Ａの受信部４４で受信され、制御情報実行部２４は、一方のテレビ電話１Ａの表示装置１４５に、印刷が終了した旨のメッセージを即座に表示させる（ステップＳ３９５）。以降は、双方のテレビ電話（１Ａ，１Ｂ）共に、通常の交信状態になる。尚、印刷する画像の選択は、一方のテレビ電話１Ａ側に限らず、複数の印刷候補画像を他方のテレビ電話１Ｂに送り、他方のテレビ電話１Ｂの使用者に選択させても良い。
【００８０】
以上述べた実施形態によれば、以下のような効果を奏する。
（１）他方のテレビ電話１Ｂの使用者は、一方のテレビ電話１Ａから送信されて印刷された制御情報を含むメッセージカード８０の中から、一方のテレビ電話１Ａを呼び出すメッセージカード８０を選び、バーコードリーダ１８５に読み取らせる操作を行うことで、一方のテレビ電話１Ａを呼び出す操作を明示的に実行すること無く、一方のテレビ電話１Ａを呼び出すことが出来る。
（２）一方のテレビ電話１Ａから、他方のテレビ電話１Ｂと同一の動画ファイルを同時に再生する制御情報を作成して、実行させることにより、双方のテレビ電話（１Ａ，１Ｂ）において、動画ファイルを同時に再生できる。
（３）一方のテレビ電話１Ａから、他方のテレビ電話１Ｂに対して、印刷する画像ファイルと、この画像ファイルを印刷する制御情報を作成して、実行させることにより、他方のテレビ電話１Ｂ側で、一方のテレビ電話１Ａ側が選択した画像を印刷できる。
【００８１】
以上、本発明を図示した実施形態に基づいて説明したが、本発明は、これに限定されるものではなく、以下に述べるような変形例も想定できる。
（１）テレビ電話１の様態は、パーソナルコンピュータを基体として、種々の周辺装置を接続した様態に限定されず、前記した種々の周辺機器を含め一体として形成された様態であっても良い。
（２）双方向通信端末は、少人数同士で通信するテレビ電話１への適用に限らず、例えば、テレビ会議端末や遠隔医療端末に対しても適用できる。
【図面の簡単な説明】
【００８２】
【図１】本発明の実施形態に係るテレビ電話のハードウェア構成を示す図。
【図２】本発明の実施形態に係るテレビ電話の機能を示す機能ブロック図。
【図３】（ａ）は、本発明の実施形態に係るテレビ電話に送信されるメッセージカードを示し、（ｂ）は、本発明の実施形態に係るテレビ電話の制御情報作成部で作成された制御情報を示す図。
【図４】本発明の実施形態に係る２台のテレビ電話から成る双方向通信システムの処理を示すタイミング図。
【図５】本発明の実施形態に係る２台のテレビ電話から成る双方向通信システムの交信処理を示すタイミング図。
【符号の説明】
【００８３】
１…テレビ電話、１０…入力部、１２…画像入力部、１４…撮像部、１６…制御情報取得部、１８…音声入力部、２０…制御部、２２…制御情報変換部、２４…制御情報実行部、２６…動作モード切替部、３０…出力部、３２…表示部、３４…印刷部、３６…音声出力部、４０…通信部、４２…送信部、４４…受信部、５０…記憶部、５５…加工編集部、６０…制御情報作成部、６５…制御情報選択部、７０…画像再現部、８０…メッセージカード、８２…イラスト部、８４…メッセージ部、８６…バーコード部、１００…ＣＰＵ、１０５…ＲＯＭ、１１０…ＲＡＭ、１１５…記憶装置、１２０…画像処理回路、１２５…バス、１３０…入出力インターフェイス、１３５…ネットワークインターフェイス、１４０…インターネット、１４５…表示装置、１５０…印刷装置、１５５…スキャナ、１６０…キーボード、１６５…マウス、１７０…リモコン、１７５…撮像カメラ、１８０…メモリドライブ、１８５…バーコードリーダ、１９０…マイクロホン、１９５…スピーカ。
【図１】
2007027925.tif 000003
【図２】
2007027925.tif 000004
【図４】
2007027925.tif 000005
【図５】
2007027925.tif 000006
【図３】
2007027925.tif 000007